(57)【要約】【課題】軽量であって組み立て・解体が容易で、運搬・製造のコストが低廉で老若男女を問わず取り扱い・保管が簡単で設置・撤去も簡単で廃棄に際しても資源の浪費がない陳列書棚を提供する。【解決手段】所定間隔で対向する一対の支柱側板と、前記一対の支柱側板の間に架設される棚板と具えてなる簡易軽量陳列・書棚であって、前記支柱側板は薄板で形成される中空状の上下方向に縦長である直方体で構成され、断面略Ｌ字形状をなして薄板で形成される前記棚板の両端は両支柱側板の対向面に棚板の断面形状に対応して略Ｌ字形状に形成された差込溝部に嵌合するようにした簡易軽量陳列・書棚を実現して前記課題を解決する。【選択図】  図２
0003177108.tif 000002
【実用新案登録請求の範囲】
【請求項１】
所定間隔で対向する一対の支柱側板と、前記一対の支柱側板の間に架設される棚板と具えてなる簡易軽量陳列・書棚であって、前記支柱側板は薄板で形成される中空状の上下方向に縦長である直方体で構成され、断面略Ｌ字形状をなして薄板で形成される前記棚板の両端は両支柱側板の対向面に棚板の断面形状に対応して略Ｌ字形状に形成された差込溝部に嵌合するようにしたことを特徴とする簡易軽量陳列・書棚。
【請求項２】
請求項１記載の簡易軽量陳列・書棚において、書棚断面の略Ｌ字形状の直立部の上端部から上部強化片部を横方向に、また略Ｌ字形状の水平部の下端部から下部強化片部を横方向にそれぞれ突出形成するとともに、前記両支柱側板の対向面に棚板の断面形状に対応して略Ｌ字形状に形成された差込溝部にも棚板の前記上部強化片部ならびに下部強化片部を勘合する差込溝部が形成するようにしたことを特徴とする簡易軽量陳列・書棚。
【請求項３】
請求項１又は２記載の簡易軽量陳列・書棚において、前記薄板は表面に防炎及び／又は防水加工を施したダンボールで構成したことを特徴とする簡易軽量陳列・書棚。
【請求項４】
請求項１ないし３いずれか記載の簡易軽量陳列・書棚において、前記両支柱側板の上端開口部および下端開口部には上底部と下底部を形成し、前記上底部は支柱側板と一体に形成され折り曲げられて開口部を覆う蓋体とこの蓋体と一体で蓋体の折り曲げ部分とは反対端に形成される第１折込片と蓋体の両端で対向する支柱側板の開口端において支柱側板と一体に形成される一対の第２折込片により構成され、前記下底部は支柱側板の開口端４周にそれぞれ支柱側板と一体に形成され下端開口部に臨むように折り曲げられる下端折り曲げ片により構成するとともに、書棚本体には背面補強板を面ファスナーにより支柱側板に着脱自在に取り付けたことを特徴とする簡易軽量陳列・書棚。
【請求項５】
請求項１ないし４いずれか記載の簡易軽量陳列・書棚において、書棚本体の背面上端には広告用パネルを取り付けたことを特徴とする簡易軽量陳列・書棚。
【考案の詳細な説明】
【技術分野】
【０００１】
本願考案は、書籍、雑誌、ＣＤ、ＤＶＤ、ビデオカセット等を陳列する簡易軽量書棚に関し、詳しくは前記商品を暫時陳列するための組み立て・解体が容易で取り扱い易く、販促に資するのみでなく廃棄時にも環境に負荷をかけることが少ない陳列・書棚に関するものである。
【背景技術】
【０００２】
従来、書店やレンタルショップ等では、書籍、雑誌、ＣＤ、ＤＶＤ、ビデオカセット等の平板状の商品を収納して陳列する陳列具が使用されている。
【０００３】
このような陳列具としては、例えば特許文献１に開示されているものがある。この陳列具は書籍類の一般的な陳列態様に使用されるもので、上下方向に多段の収納空間を有していて、この収納空間に、書籍類が背表紙を手前側に向けて陳列されるようになっている。      
そして、この陳列棚の下方には、対向する一対の平台が配置されており、この平台上には、書籍がおもて表紙を上に向けて平積みされて、いわゆる面陳列されるようになっている。
【０００４】
また、特許文献２も、背表紙を手前側に向けた縦列陳列方法とおもて表紙を手前側に向けた面陳列方法とが可能な陳列具を開示している。この陳列具は、上下方向に３段かつ水平方向に複数に区画されて多数の収納空間を有しており、各収納空間には、書籍が背表紙を手前側に向けて陳列されるようになっている。
【０００５】
本願に関して、次のような先行技術が存在する。
【特許文献１】特開２０００−１５７３３５０号公報
【特許文献２】特開２００４−２２３００７号公報
【考案の開示】
【考案が解決しようとする課題】
【０００６】
ところで、書店などではカヤンペーンを実施して特定の書籍類その他の商品を通常の書籍・商品類とは別枠の展示にして商品のアピールが必要とする場合が少なくない。
このようなとき、従来それらの書籍その他の商品の陳列はその店舗の既存の書棚や陳列台を使用せざるを得ないが、通常は書棚、陳列台は書籍、商品の展示で塞がっているのが実情である。  このように既設の書棚、陳列台が使用できないため、キャンペーンのために展示の用に供するため、出版社などではそのために格別の書棚、陳列台を制作して店舗側に提供するのが通例となっている。
【０００７】
しかしながら、キャンペーンは一度に数百店舗で行われることもあり、通常の書棚、陳列台を制作するには長時間を要することはもちろん、制作費も相応に必要となる。  
そして、キャンペーン終了時には書棚、陳列台を撤去する必要があり、煩瑣かつ相当の作業量が必要となりこれに要する費用も安価とはいえない。  また、時には撤去したものの廃棄が必要となり、これに要する作業も容易なものではなく、かつ相当な費用が必要となる。
【０００８】
上記のような課題を解決するために、本願発明者は先に実願２０１２−００１１６４において新規な簡易軽量陳列・書棚を開示したが、これにさらなる改良を加えた新たな簡易軽量陳列・書棚を提供して、上記従来の課題の解決に加えてさらなる利点を実現するに至った。
【課題を解決するための手段】
【０００９】
本願考案は、所定間隔で対向する一対の支柱側板と、前記一対の支柱側板の間に架設される棚板と具えてなる簡易軽量陳列・書棚であって、前記支柱側板は薄板で形成される中空状の上下方向に縦長である直方体で構成され、断面略Ｌ字形状をなして薄板で形成される前記棚板の両端は両支柱側板の対向面に棚板の断面形状に対応して略Ｌ字形状に形成された差込溝部に嵌合するようにした簡易軽量陳列・書棚を提供して上記課題を解決する。
【００１０】
上記段落０００９記載の簡易軽量陳列・書棚において、書棚断面の略Ｌ字形状の直立部の上端部から上部強化片部を横方向に、また略Ｌ字形状の水平部の下端部から下部強化片部を横方向にそれぞれ突出形成するとともに、前記両支柱側板の対向面に棚板の断面形状に対応して略Ｌ字形状に形成された差込溝部にも棚板の前記上部強化片部ならびに下部強化片部を勘合する差込溝部が形成するように構成することがある。
【００１１】
上記段落０００９又は００１０記載の簡易軽量陳列・書棚において、前記薄板は表面に防炎および又は防水加工を施したダンボールで構成することがある。
【００１２】
また、上記段落０００９ないし００１１いずれか記載の簡易軽量陳列・書棚において、
前記両支柱側板の上端開口部および下端開口部には上底部と下底部を形成し、前記上底部は支柱側板と一体に形成され折り曲げられて開口部を覆う蓋体とこの蓋体と一体で蓋体の折り曲げ部分とは反対端に形成される第１折込片と蓋体の両端で対向する支柱側板の開口端において支柱側板と一体に形成される一対の第２折込片により構成され、前記下底部は支柱側板の開口端４周にそれぞれ支柱側板と一体に形成され下端開口部に臨むように折り曲げられる下端折り曲げ片により構成するとともに、書棚本体には背面補強板を面ファスナーにより支柱側板に着脱自在に取り付ける構成となすことがある。
【００１３】
さらに、上記段落０００９ないし００１２いずれか記載の簡易軽量陳列・書棚において、書棚本体の背面上端には広告用パネルを取り付ける構成となすことがある。
【考案の効果】
【００１４】
本願考案は、上記の構成を有することにより、以下のような効果を得ることができる。
イ：  組み立て解体が容易であり、製造コストのみならず運搬、保管等のコストも低廉で取り扱いが極めて容易である。
ロ：  素材が板紙等の薄板材であるため軽量であるので老若男女を問わず組み立て解体がしやすく、また、必要に応じて、簡単にはさみやカッターなどで所望の加工が可能である。
ハ：  素材をダンボールなどの板紙とした場合、廃棄時にも資源として再生リサイクルにまわすことができるので環境への負荷が少ない。
ニ：  全体として軽量であるため、自身その他の原因により、万一倒れ掛かるようなことがあっても人その他に重大な損傷を与えるおそれが少ない。
ホ：  支柱側板は薄板で形成される中空状の上下方向に縦長である直方体で構成するようにしたため、簡易軽量陳列・書棚の組み立て前の納まりが整形状態になり特別な包装手段が不要となり原価コストが低減できる。
へ：  支柱側板の上底、下底ともに支柱側板と一体である折込片の開口内への差込みによる蓋をそれぞれ設ける構成となしたため、低廉なコストで支柱側板の強度を向上させることができる。
【考案を実施するための最良の形態】
【００１５】
本願に係る簡易軽量陳列・書棚の素材は、板紙、特に汎用のダンボール材の使用が好ましいが、耐水性を考慮してダンボール材の表面にはプラスチックフィルム層を形成し、さらにダンボール材には防炎剤を散布もしくは浸透するなどの防炎処理しておくことが望ましい。
【実施例】
【００１６】
次に、図面により本願考案の実施例を説明する。  図１は、本願に係る簡易軽量陳列・書棚の１実施例を示す斜視図，図２は一部分解斜視図である。
図において、簡易軽量陳列・書棚本体Ａは、所定間隔で対向する一対の支柱側板１、１と、前記一対の支柱側板１，１の間に架設される棚板２，２．．とを具えている。
そして、後述のように前記支柱側板１，１は薄板で形成される中空体で構成されている。図２に示すように、断面略Ｌ字形状をなして薄板で形成される前記棚板２、２．．．の両端は両支柱側板１，１の対向面に棚板２，２．．の断面形状に対応して略Ｌ字形状に形成された差込溝部２aに嵌合するように構成されている。
【００１７】
また、図３に示すように、書棚２断面の略Ｌ字形状の直立部２１の上端部から上部強化片部２１aを横方向に、また略Ｌ字形状の水平部２２の下端部から下部強化片部２２aを横方向にそれぞれ突出形成されている一方、図２に示すように、前記両支柱側板１、１の対向面に棚板２の断面形状に対応して略Ｌ字形状に形成された差込溝部２aにも棚板２の前記上部強化片部２１aならびに下部強化片部２２aを勘合する差込溝部２１ｂ、２２ｂがそれぞれ形成されている。  なお、この実施例では、最下段の書棚２の下部強化片部は他の書棚のそれより長く形成して全体の強度を高めるとともに、所要の文字、図形その他を展示できる構成としてある。すなわち、図２、図３において、２３は最下段の書棚２の下部強化片部であり、他の書棚２の下部強化片部２２aより伸長されたものである。  この下部強化片部２３に対応して、図２に示すように、支柱側板１における差込溝部２３aが形成されている。
【００１８】
前記両支柱側板１、１は、図２に示すように中空状の上下方向に縦長である直方体で構成され断面が方形となっており上端と下端は開口しているが、後述のようにそれぞれの開口部には支柱側板と一体とも言える蓋が形成されている。
また、書棚の裏側の下方には背面補強板４が取り付けられている。  すなわち、背面補強板４は面ファスナーにより支柱側板１，１に着脱自在に取り付け固定され全体の剛性を強化するようになっている。
【００１９】
なお、図１、図２において、５は簡易軽量陳列・書棚本体Ａの背面上端から突出するように取り付けられた広告用パネルであり、陳列される書籍などの宣伝広告の用に供されるもので種々の態様で使用することができる。
【００２０】
なお、上述の実施例では、簡易軽量陳列・書棚の素材として表面に防炎及び／又は防水加工を施したダンボールが使用されている。
【００２１】
図４は、前記両支柱側板１の上端開口部および下端開口部に形成される上底部と下底部の関連構成を示す斜視図であり、図４（a）、（ｂ）はそれぞれ上底部と下底部の構造の一例を示している。
図４（a）において、１aは、支柱側板１と一体に形成され、折り曲げられて開口部を覆う蓋体である。  １a1は蓋体１aと一体で蓋体１aの折り曲げ部分とは反対側の開港端に形成される第１折込片である。  また、１a2,1a2は、蓋体１aの両端で対向する支柱側板１の開口端において支柱側板１と一体に形成される一対の第２折込片である。  前記蓋体１a、第１折込片１a1、第２折込片１a2,1a2により上底部が形成されることになる。  なお、この実施例では、開口部において蓋体１aが形成される反対側の開口端にも第３折込片1a３が形成されて前記第１折込片１a1とともに開口部に差し込まれて上底部の強度をより高めるようになっている。
【００２２】
また、図４（b）に示すように、前記下底部は支柱側板１の開口端４周にそれぞれ支柱側板１と一体に形成され下端開口部に臨むように折り曲げられる下端折り曲げ片１b１、１b2により構成され、前記各下端折り曲げ片１b１、１b2が開口部に折り曲げられて下底部を構成することで、支柱側板１に適正な強度を付与しこれを安定的に直立させることができる。
【図面の簡単な説明】
【００２３】
【図１】本願に係る簡易軽量陳列・書棚の１実施例を示す斜視図である。
【図２】図１に示す簡易軽量陳列・書棚の一部分解斜視図である。
【図３】図２に示す書棚の側面図である。
【図４】両支柱側板の上端開口部および下端開口部に形成される上底部と下底部の関連構成を示す斜視図である。
【符号の説明】
【００２４】
Ａ．．．．．．．．．．簡易軽量陳列・書棚（本体）
１．．．．．．．．．．支柱側板
１a．．．．．．．．．蓋体
1a1．．．．．．．．．第１折込片
1a2．．．．．．．．．第２折込片
１ｂ１，１ｂ２．．．．下端折り曲げ片
２．．．．．．．．．．書棚
２a．．．．．．．．．差込溝部
３．．．．．．．  ．．蓋
４．．．．．．．．．．背面補強板
５．．．．．．．．．．広告パネル
２１．．．．．．．．（書棚の）直立部
２２．．．．．．．．（書棚の）水平部
２１a．．．．．．．上部強化片部
２２a..．．．．．．．下部強化片部
２３ａ．．．．．．．差込溝部
【図１】
0003177108.tif 000003
【図２】
0003177108.tif 000004
【図３】
0003177108.tif 000005
【図４】
0003177108.tif 000006